(57)【特許請求の範囲】
【請求項１】
中低層鉄骨建物の鉄骨構造のブレースに、車両、歩行による微小振動用制振装置と、地震、台風による大振動用制振装置とを平面上に並列に且つ一体的に設け、
前記微小振動用制振装置と前記大振動用制振装置とは両者を合わせて３つの制振装置で構成され、且つ、前記微小振動用制振装置を略中央部に１つ配置し、前記微小振動用制振装置の外側に該微小振動用制振装置を挟んで前記ブレースの延びる方向を対称軸として線対称に前記大振動用制振装置を１つずつ配置し、
前記微小振動用制振装置を粘弾性ダンパーまたは摩擦ダンパーで構成し、前記大振動用制振装置を油圧ダンパーで構成したことを特徴とする建物の制振構造。
【発明の詳細な説明】
【０００１】
【発明の属する技術分野】
本発明は、建物の制振構造に係り、特に、住宅やオフィス等の中低層鉄骨建物に好適な制振構造に関するものである。
【０００２】
【従来の技術】
一般に鉄骨構造の建物では、予め設定された設計基準に基づいて構造計算がなされている。そして、前記設計基準は想定された地震により構造体に作用する水平力を主とし、比較的大きい振幅を持った振動が対象となる。
【０００３】
一方、住宅やオフィス等の中低層鉄骨建物には道路を通行する車両により発生する振動や屋内の歩行により発生する振動等の微小振動が作用することがある。そして、前記微小振動レベルにおける中低層鉄骨建物の剛性は骨組のみならず、帳壁や間仕切壁等の二次部材が大きく寄与するのが現実である。
【０００４】
建物に微小振動が作用した場合、二次部材の配置や量によっては、適正になされた構造設計の結果とは全く無関係に建物に捩れを発生させることがあり、壁を付けることによりかえって悪影響を及ぼす虞がある。即ち、構造計算の結果に応じて構成された骨組に対して無制限に二次部材を配置した場合、重心と剛心との偏心距離が大きくなって僅かな外力（微小振動）が作用しても捩れ振動を起こしてしまうという問題があった。
【０００５】
そこで、本発明者は、道路を通行する車両により発生する振動や屋内での歩行により発生する振動等の微小レベルの振動に対してのみ剛性及び減衰性を有する粘弾性ダンパーを耐力壁間に取り付けた剛性調整壁パネルの構造に関する技術を提案し、特願平6-131619号により現在特許出願中である。
【０００６】
また、鉄骨構造の建物で微小振動に対する補強方法として上下梁間にブレースを配置して剛性を高めることも行われているが、ブレースの断面積を相当に大きくしないと僅かな外力（微小振動）が作用した時の負担能力が小さいという問題があった。
【０００７】
【発明が解決しようとする課題】
しかしながら、前述の特願平6-131619号に記載された技術では、微小レベルの振動に対しては効果があるものの大地震が発生すれば粘弾性ダンパーは破損してしまう。この粘弾性ダンパーを例えばブレースに設けた場合、大地震が発生して粘弾性ダンパーが破損するとブレースが切れた状態になるため居住性の悪い状態となってしまう。
【０００８】
また、粘弾性ダンパーが破損してブレースが切れた場合、地震が去った後、この粘弾性ダンパーを交換する必要がある上、交換するまでの間はブレースが無い状態になって居住性の悪い状態になってしまう。
【０００９】
一方、大地震でなくとも小地震や台風に対する大振動用の制振装置も別途に設置しておくとの要請もあるが、微小振動用と大振動用の制振装置を別々に取り付けることは嵩張るため壁厚が大きくなり、居住空間を制限するため好ましくない。
【００１０】
本発明は前記課題を解決するものであり、その目的とするところは、微小振動と大振動の両方に適用出来、地震後も交換不要で且つ居住空間を広くとれる建物の制振構造を提供せんとするものである。
【００１１】
【課題を解決するための手段】
前記目的を達成するための本発明に係る建物の制振構造は、中低層鉄骨建物の鉄骨構造のブレースに、車両、歩行による微小振動用制振装置と、地震、台風による大振動用制振装置とを平面上に並列に且つ一体的に設け、前記微小振動用制振装置と前記大振動用制振装置とは両者を合わせて３つの制振装置で構成され、且つ、前記微小振動用制振装置を略中央部に１つ配置し、前記微小振動用制振装置の外側に該微小振動用制振装置を挟んで前記ブレースの延びる方向を対称軸として線対称に前記大振動用制振装置を１つずつ配置し、前記微小振動用制振装置を粘弾性ダンパーまたは摩擦ダンパーで構成し、前記大振動用制振装置を油圧ダンパーで構成したことを特徴とする。
【００１２】
上記構成によれば、中低層鉄骨建物の鉄骨構造のブレースに、車両、歩行による微小振動用制振装置と、地震、台風による大振動用制振装置とを平面上に並列に且つ一体的に設け、前記微小振動用制振装置と前記大振動用制振装置とは両者を合わせて３つ以上の制振装置で構成され、且つ、前記微小振動用制振装置を略中央部に配置し、前記大振動用制振装置を前記微小振動用制振装置の外側に配置し、ブレースの軸心（中心）に微小振動用制振装置を設けたことで微小振動と大振動の両方に適用出来る上、大振動レベルでの微小振動用制振装置の負担が小さくなり好ましい。また、振幅の小さい微小振動の力の伝搬性が良い。一方、大振動は振幅が大きいのでブレースの軸心（中心）から多少ずれても振動の力の伝搬性が損なわれることがない。
【００１３】
また、微小振動用制振装置と大振動用制振装置とを並列にブレースに設けたことで耐力壁に取り付ける場合と比較して施工が簡単であり、且つ、設計上も単純計算で済む。また、開口部のある壁面にも取り付けることが出来るので開口部の面の補強も兼ねることが出来、好ましい。
【００１４】
また、前記微小振動用制振装置と前記大振動用制振装置とを一体的に設けたことで、工場生産が可能で現場の作業工数が低減され、工期を短縮することが出来る。
【００１５】
また、前記微小振動用制振装置と前記大振動用制振装置とを平面上に並設したことで、空間専有体積を小さく出来るので壁厚を薄くして居住空間を広くとれる。
【００１６】
また、大振動用制振装置を微小振動用制振装置を中心として対称的に配置した場合には力のバランスが良いので好ましい。
【００１７】
前記微小振動用制振装置と前記大振動用制振装置の数は設計上や占有空間可能体積を考慮して必要に応じて増加することが出来るが、この場合も微小振動用制振装置をブレースの軸心（中心）に集中させた方が好ましい。
【００１８】
また、前記微小振動用制振装置を粘弾性ダンパーまたは摩擦ダンパーで構成し、前記大振動用制振装置を油圧ダンパーで構成したことで、油圧ダンパーにより粘弾性ダンパーまたは摩擦ダンパーの変形量を抑えることが出来、粘弾性ダンパーの弾性変形範囲内及び摩擦ダンパーの変位追従性範囲内に変形量を抑えることで、復元可能な制振装置を実現することが出来、大地震の後で粘弾性ダンパーや摩擦ダンパーを交換する必要がないのでメンテナンス等の必要がなく、各ダンパー及びブレースが破損することも無いので快適な居住性を維持することが出来る。
【００１９】
特に、前記微小振動用制振装置を摩擦ダンパーで構成した場合には復元量が大きく設定出来るので変位追従性の範囲を大きく設定することで超強振動にも対応出来る。
【００２０】
【発明の実施の形態】
図により本発明に係る建物の制振構造の一実施形態を具体的に説明する。図１は本発明に係る建物の制振構造の一例を示す図、図２は微小振動用制振装置と大振動用制振装置とを一体的に設けたハイブリッドダンパーの構成を示す図、図３は各ダンパーを取り付けるダンパー取付部の構成を示す図、図４及び図５は微小振動用制振装置となる粘弾性ダンパーの構成を示す図、図６は大振動用制振装置となる油圧ダンパーの構成を示す図、図７は微小振動用制振装置と大振動用制振装置とを一体的に設けたハイブリッドダンパーの他の構成を示す図、図８は各ダンパーを取り付けるダンパー取付部の他の構成を示す図、図９は微小振動用制振装置となる摩擦ダンパーの構成を示す図、図10は摩擦ダンパーに使用される潤滑シートの構成を示す図、図11〜図13は本発明に係る建物の制振構造の他の構成を示す図である。
【００２１】
本発明に係る建物の制振構造の一例として、図１に示すように、鉄骨構造の上下梁１，２間に設けられる間柱３，４間に斜めに掛け渡されるブレース５，６に微小振動用制振装置となる粘弾性ダンパー７または摩擦ダンパー８と大振動用制振装置となる油圧ダンパー９とを並列に且つ一体的に且つ平面上に並設したハイブリッドダンパーＡ，Ｂを設けて構成した建物の制振構造について説明する。
【００２２】
図１において、上下梁１，２の間柱３，４を配置する所定位置には補強金物10がボルト，ナット等の固定部材により固定され、該補強金物10に間柱３，４が取り付けられて間柱３，４が上下梁１，２に固定される。
【００２３】
間柱３，４の上下部及び中央部には間柱取付金物11，12が夫々固定され、間柱３，４の中央部に取り付けられた間柱取付金物12には該間柱３，４を継ぐ継ぎ材13が固定されている。
【００２４】
間柱３，４の上下部に取り付けられた間柱取付金物11と間柱３，４の中央部に取り付けられた間柱取付金物12との間には、図１に示すように、中央部に微小振動用制振装置となる粘弾性ダンパー７または摩擦ダンパー８と、その両側に大振動用制振装置となる油圧ダンパー９とを並列に且つ一体的に且つ平面上に並設したハイブリッドダンパーＡ，Ｂを略中央部に設けたブレース５，６が「く」の字形状に斜めに掛け渡されて固定されている。
【００２５】
各ブレース５，６の夫々の略中央部に設けられたハイブリッドダンパーＡ，Ｂは、図１に示すように、微小振動用制振装置となる粘弾性ダンパー７または摩擦ダンパー８をブレース５，６の軸線上に配置し、該微小振動用制振装置の両側に大振動用制振装置となる油圧ダンパー９を２つ配置して構成している。
【００２６】
前記間柱３，４、補強金物10、継ぎ材13、ハイブリッドダンパーＡ，Ｂを設けたブレース５，６は予め工場生産された完成品の状態で建築現場に供給され、前記各部材をボルト，ナット等の固定部材により上下梁１，２に固定することで壁パネル構造を構成することが出来る。
【００２７】
間柱３，４は上下梁１，２における対向する面の距離（梁間距離）と等しい長さを持って形成され、長手方向の両端部が各上下梁１，２に固着されている。従って、各上下梁１，２に作用する微小振動及び大振動は各間柱３，４に伝達され、更に間柱３，４に固着された間柱取付金物11，12を介してブレース５，６に伝達される。
【００２８】
次に図２〜図６を用いて微小振動用制振装置として粘弾性ダンパー７を採用し、大振動用制振装置として油圧ダンパー９を採用したハイブリッドダンパーＡの構成について詳細に説明する。
【００２９】
図２及び図３に示すように、ブレース５，６のハイブリッドダンパーＡ側の端部には、該ブレース５，６の軸線上に粘弾性ダンパー７を固定すると共に該粘弾性ダンパー７の両側に壁パネルの面と略平行な平面上に油圧ダンパー９を２つ並設して取り付けるための略Ｔ字形状で平板からなるダンパー取付部14が形成されており、該ダンパー取付部14の中央の突出部14ａ及び両側の鍔部14ｂには夫々ボルト孔14ｃが形成されている。
【００３０】
ハイブリッドダンパーＡの中央部に配置される微小振動用制振装置となる粘弾性ダンパー７は図４及び図５に示すように、塑性ゴム或いは弾性ゴムからなる減衰性を有する粘弾性体７ａの表面及び裏面に所定の形状に形成されたプレート７ｂ，７ｃを張り付けて構成されており、該プレート７ｂ，７ｃに作用する微小振動を粘弾性体７ａで減衰する機能を有する。
【００３１】
また、プレート７ｂ，７ｃの粘弾性体７ａと反対側の端部には該端部をダンパー取付部14の突出部14ａに取り付けるためのボルト孔７ｄが形成されている。
【００３２】
ハイブリッドダンパーＡの微小振動用制振装置となる粘弾性ダンパー７の両側に配置される大振動用制振装置となる油圧ダンパー９は、図６に示すような一般的な油圧ダンパーを使用することが出来る。図６中、９ａはシリンダー、９ｂはピストン、9b1はピストン９ｂに固定されたロッド、９ｃはピストン９ｂに設けられたオリフィスである。
【００３３】
前記油圧ダンパー９はオリフィス９ｃを介してシリンダー９ａ内をオイルが流通することでオリフィス９ｃの両側に生ずる圧力差により抵抗力が生じ、これにより大振動を減衰する機能を有する。
【００３４】
前記シリンダー９ａ及びピストン９ｂに固定されたロッド9b1 の端部には夫々係合部９ｄ，９ｅが設けられており、該係合部９ｄ，９ｅには夫々該係合部９ｄ，９ｅをダンパー取付部14の鍔部14ｂに取り付けるためのボルト孔９ｆが形成されている。
【００３５】
そして、ブレース５，６の一端に設けられたダンパー取付部14の突出部14ａのボルト孔14ｃと粘弾性ダンパー７のプレート７ｂ，７ｃのボルト孔７ｄにボルト15を挿通して該ボルト15にナット16を螺合して締着固定すると共に、ダンパー取付部14の鍔部14ｂのボルト孔14ｃと油圧ダンパー９の係合部９ｄ，９ｅのボルト孔９ｆにボルト15を挿通して該ボルト15にナット16を螺合して締着固定することで、中央に１つの粘弾性ダンパー７及びその両側に２つの油圧ダンパー９を並設したハイブリッドダンパーＡをブレース５，６の中央部に形成することが出来るようになっている。
【００３６】
次に図７〜図10を用いて微小振動用制振装置として摩擦ダンパー８を採用し、大振動用制振装置として前述と同じ油圧ダンパー９を採用したハイブリッドダンパーＢの構成について詳細に説明する。尚、前記ハイブリッドダンパーＡと同様に構成したものは同一の符号を付して説明を省略する。
【００３７】
前記ハイブリッドダンパーＡに適用した粘弾性ダンパー７の代わりに、ハイブリッドダンパーＢの中央部に配置される微小振動用制振装置となる摩擦ダンパー８は、図９に示すように、ダンパー取付部14の突出部14ａの端部が断面Ｈ型の嵌合部材８ａの両端部の嵌合部に夫々嵌合すると共に一方の嵌合部には潤滑シート８ｂを介在させ、ダンパー取付部14の突出部14ａに形成されたボルト孔14ｃ，14ｄ及び嵌合部材８ａの嵌合部に形成された図示しないボルト孔及び潤滑シート８ｂに形成された孔8b1 にボルト15を挿通して該ボルト15にナット16を螺合して締着固定される。
【００３８】
前記潤滑シート８ｂとしては、例えばテフロンシート（登録商標）等を使用すれば好ましい。
【００３９】
摩擦ダンパー８の嵌合部材８ａの一端部の嵌合部に対応するダンパー取付部14の突出部14ａには図８及び図９に示すようにボルト15の軸の外径に対応した幅と所定の長さを有する長穴14ｄが形成されており、この長穴14ｄが形成された側のダンパー取付部14の突出部14ａと嵌合部材８ａの嵌合部との間には図10に示すようにボルト15を挿通するための孔8b1 を形成した所定の摩擦係数を有する潤滑シート８ｂを図９に示すようにダンパー取付部14の突出部14ａの表裏両面に介在させるように二重に折り曲げて挿通し、ボルト15及びナット16により所定のトルクで締着固定している。
【００４０】
そして、ブレース５，６を介して摩擦ダンパー８に所定の力が作用した際に潤滑シート８ｂを介在させた側のボルト15及びナット16がダンパー取付部14の突出部14ａに設けた長穴14ｄに沿ってスライドすることでブレース５，６に作用する微小振動を減衰する機能を有する。
【００４１】
他の構成は前記ハイブリッドダンパーＡと同様に構成され、同様な効果を得ることが出来る。
【００４２】
上記のように構成した各ハイブリッドダンパーＡ，Ｂによれば、油圧ダンパー９により粘弾性ダンパー７または摩擦ダンパー８の変形量を抑えることが出来、粘弾性ダンパー７の弾性変形範囲内或いは摩擦ダンパー８の変位追従性範囲内に変形量を抑えることで、復元可能な制振装置を実現することが出来、大地震の後で粘弾性ダンパー７や摩擦ダンパー８を交換する必要がないのでメンテナンス等の必要がなく、ハイブリッドダンパーＡ，Ｂ及びブレース５，６が破損することも無いので快適な居住性を維持することが出来る。
【００４３】
特に、前記ハイブリッドダンパーＢのように微小振動用制振装置を摩擦ダンパー８で構成した場合には復元量を大きく設定出来るので変位追従性の範囲を大きく設定することで超強振動にも対応出来る。
【００４４】
上記のように間柱３，４及びハイブリッドダンパーＡ，Ｂを設けたブレース５，６によって構成された壁パネルでは、上下梁１，２に発生した微小振動は各上下梁１，２から間柱３，４に伝達され、ブレース５，６を介してダンパー取付部14或いはハイブリッドダンパーＡでは更に粘弾性ダンパー７のプレート７ｂ，７ｃに伝達される。
【００４５】
粘弾性ダンパー７を使用した場合、微小振動が伝達された粘弾性ダンパー７では、プレート７ｂ，７ｃに作用する微小振動が粘弾性体７ａに伝達され、該粘弾性体７ａは微小振動に応じて変形する。従って、微小振動は粘弾性体７ａの変形によって吸収或いは減衰される。
【００４６】
一方、摩擦ダンパー８を使用した場合、微小振動が伝達された摩擦ダンパー８では、ダンパー取付部14に作用する微小振動が潤滑シート８ｂに伝達され、該潤滑シート８ｂの摩擦係数及びボルト15及びナット16の締着トルクに応じてダンパー取付部14が嵌合部材８ａに対して長穴14ｄに沿ってスライドして微小振動が吸収或いは減衰される。
【００４７】
上下梁１，２に微小振動が発生している場合には、その振幅が小さいため油圧ダンパー９のシリンダー９ａ及びピストン９ｂは略微小振動に応じて振動してダンパーの作用を発揮せず、専ら粘弾性ダンパー７または摩擦ダンパー８により微小振動が吸収或いは減衰される。
【００４８】
そして、上下梁１，２に地震等の大振動が発生した場合には、その振幅が大きいため油圧ダンパー９の作用により大振動が吸収或いは減衰される。
【００４９】
前記ハイブリッドダンパーＡ，Ｂを設けたブレース５，６の構成は図１で示した構成以外に、例えば、図11に示すように、間柱３，４の上下部にブレース５，６を「Ｘ」字形状に斜めに掛け渡して固定しても良いし、図12に示すように、間柱３，４の中央部に２本の継ぎ材13を上下梁１，２に平行に配置して固定して開口17を形成し、間柱４の上下部と継ぎ材13と間柱３との接続部との間にブレース５，６を斜めに掛け渡して固定しても良い。また、図13に示すように、間柱３の上部と間柱４の下部及び該間柱４の下部と間柱18の上部にブレース５，６を斜めに掛け渡して固定しても良い。
【００５０】
前記ブレース５，６に設けられるハイブリッドダンパーＡ，Ｂを構成する粘弾性ダンパー７または摩擦ダンパー８及び油圧ダンパー９の配置数は、該粘弾性ダンパー７または摩擦ダンパー８及び油圧ダンパー９の有する減衰特性や予め想定された微小振動レベル及び大振動レベル等の条件に基づいて必要な所定の数だけ配置される。
【００５１】
即ち、粘弾性ダンパー７または摩擦ダンパー８及び油圧ダンパー９の配置数を適宜設定することによってブレース５，６による剛性、減衰性を所望の条件に応じて極めて容易に調整することが出来る。
【００５２】
従って、鉄骨構造の建物を設計するに際し、建物に作用する微小振動レベル及び想定される大振動レベルの条件が設定された時、間柱３，４やブレース５，６、粘弾性ダンパー７または摩擦ダンパー８及び油圧ダンパー９に何等設計変更を加えることなく、粘弾性ダンパー７または摩擦ダンパー８及び油圧ダンパー９の配置数を設定するのみによって、前記設定条件に対応し得る剛性、減衰性を持った壁パネルを構成することが可能となる。
【００５３】
また、建物における二次部材の配置位置に対応して前記ハイブリッドダンパーＡ，Ｂを設けたブレース５，６を取り付けることで、重心と剛心の偏心距離を調整して建物の剛性を調整することが出来る。このため、建物に微小振動が作用した時、骨組に生じる虞のある捩れを防止することが出来る。
【００５４】
また、本発明に係る建物の制振構造は、間仕切壁内や帳壁の裏面に設置することが出来るので、設計プランを変更することなく建物の剛性を調整することが出来る。
【００５５】
【発明の効果】
本発明は、上述の如き構成と作用とを有するので、鉄骨構造のブレースに微小振動用制振装置と大振動用制振装置とを平面上に並列に且つ一体的に設けたことで微小振動と大振動の両方に適用出来る上、大振動レベルでの微小振動用制振装置の負担が小さくなり好ましい。
【００５６】
また、微小振動用制振装置と大振動用制振装置とを並列にブレースに設けたことで耐力壁に取り付ける場合と比較して施工が簡単であり、且つ、設計上も単純計算で済む。また、開口部のある壁面にも取り付けることが出来るので開口部の面の補強も兼ねることが出来、好ましい。
【００５７】
また、前記微小振動用制振装置と前記大振動用制振装置とを一体的に設けたことで、工場生産が可能で現場の作業工数が低減され、工期を短縮することが出来る。
【００５８】
また、前記微小振動用制振装置と前記大振動用制振装置とを平面上に並設したことで、空間専有体積を小さく出来るので壁厚を薄くして居住空間を広くとれる。
【００５９】
また、前記微小振動用制振装置を粘弾性ダンパーまたは摩擦ダンパーで構成し、前記大振動用制振装置を油圧ダンパーで構成したことで、油圧ダンパーにより粘弾性ダンパーまたは摩擦ダンパーの変形量を抑えることが出来、粘弾性ダンパーの弾性変形範囲内及び摩擦ダンパーの変位追従性範囲内に変形量を抑えることで、復元可能な制振装置を実現することが出来、大地震の後で粘弾性ダンパーや摩擦ダンパーを交換する必要がないのでメンテナンス等の必要がなく、各ダンパー及びブレースが破損することも無いので快適な居住性を維持することが出来る。
【００６０】
特に、前記微小振動用制振装置を摩擦ダンパーで構成した場合には復元量を大きく設定することが出来るので変位追従性の範囲を大きく設定することで超強振動にも対応出来る。
【００６１】
また、建物における二次部材の配置位置に対応して前記微小振動用制振装置と前記大振動用制振装置とを並設して設けたブレースを取り付けることで、重心と剛心の偏心距離を調整して建物の剛性を調整することが出来る。このため、建物に微小振動が作用した時、骨組に生じる虞のある捩れを防止することが出来る。
【００６２】
また、本発明に係る建物の制振構造は、間仕切壁内や帳壁の裏面に設置することが出来るので、設計プランを変更することなく建物の剛性を調整することが出来る。
【図面の簡単な説明】
【図１】  本発明に係る建物の制振構造の一例を示す図である。
【図２】  微小振動用制振装置と大振動用制振装置とを一体的に設けたハイブリッドダンパーの構成を示す図である。
【図３】  各ダンパーを取り付けるダンパー取付部の構成を示す図である。
【図４】  微小振動用制振装置となる粘弾性ダンパーの構成を示す図である。
【図５】  微小振動用制振装置となる粘弾性ダンパーの構成を示す図である。
【図６】  大振動用制振装置となる油圧ダンパーの構成を示す図である。
【図７】  微小振動用制振装置と大振動用制振装置とを一体的に設けたハイブリッドダンパーの他の構成を示す図である。
【図８】  各ダンパーを取り付けるダンパー取付部の他の構成を示す図である。
【図９】  微小振動用制振装置となる摩擦ダンパーの構成を示す図である。
【図10】  摩擦ダンパーに使用される潤滑シートの構成を示す図である。
【図11】  本発明に係る建物の制振構造の他の構成を示す図である。
【図12】  本発明に係る建物の制振構造の他の構成を示す図である。
【図13】  本発明に係る建物の制振構造の他の構成を示す図である。
【符号の説明】
１，２…上下梁
３，４…間柱
５，６…ブレース
７…粘弾性ダンパー
７ａ…粘弾性体
７ｂ，７ｃ…プレート
７ｄ…ボルト孔
８…摩擦ダンパー
８ａ……嵌合部材
８ｂ…潤滑シート
8b1…孔
９…油圧ダンパー
９ａ…シリンダー
９ｂ…ピストン
9b1…ロッド
９ｃ…オリフィス
９ｄ，９ｅ…係合部
９ｆ…ボルト孔
10…補強金物
11，12…間柱取付金物
13…継ぎ材
14…ダンパー取付部
14ａ…突出部
14ｂ…鍔部
14ｃ…ボルト孔
14ｄ…長穴
15…ボルト
16…ナット
17…開口
18…間柱
Ａ，Ｂ…ハイブリッドダンパー
【図１】
0003830254.tif 000002
【図２】
0003830254.tif 000003
【図３】
0003830254.tif 000004
【図４】
0003830254.tif 000005
【図５】
0003830254.tif 000006
【図６】
0003830254.tif 000007
【図７】
0003830254.tif 000008
【図８】
0003830254.tif 000009
【図９】
0003830254.tif 000010
【図１０】
0003830254.tif 000011
【図１１】
0003830254.tif 000012
【図１２】
0003830254.tif 000013
【図１３】
0003830254.tif 000014